(57)【要約】      （修正有）【課題】外装体で覆われた蓋体を用いた蓋付き容器の分離・回収に際し、外装体の容易な分離・回収を実現する。【解決手段】容器10は、内容物を取り出すための取り出し筒11aを有し、取り出し筒の周りに肩部11bが形成されている。蓋体20は、外装体22で覆われる本体21を備え、この本体21は、取り出し筒の外周面に着脱可能にねじ付けられる装着部21cと、装着部を取り囲んで、その外周面fで外装体を固定保持する周壁21dと、周壁と装着部との間を連結する連結部21fとを有する。周壁21dは、蓋体を回したときに外装体の空転を防止する平面からなる平面壁部を有し、連結部21fには、外装体天壁22aに通じる貫通孔A2が形成され、当該貫通孔は、蓋体22を取り外した容器の肩部11bに部材Mを載せ置いたとき、部材Mの上端e1が貫通して外装体天壁22aに接触することで蓋体のねじ付けに合せて外装体を分離させる。【選択図】図４
2011025970.tif 000002
【特許請求の範囲】
【請求項１】
内容物を取り出すための取り出し筒を有し、外装体を接着固定した蓋体が当該取り出し筒に対して着脱可能に装着される蓋付き容器であって、
当該容器は、取り出し筒の周りに肩部が形成されていると共に、
前記蓋体は、取り出し筒の外周面に着脱可能にねじ付けられる装着部と、当該装着部を取り囲んで、その外周面で外装体を固定保持する周壁と、当該周壁と装着部との間を連結する連結部とを有する本体を備え、
当該本体の周壁は、蓋体を回したときに外装体の空転を防止する平面を有し、
当該本体の連結部には、外装体の天壁に通じる貫通孔が形成され、
当該貫通孔は、蓋体を取り外した容器の肩部に部材を載せ置いたとき、当該部材の上端が貫通して外装体の天壁に接触することで蓋体のねじ付けに合せて外装体を分離させるように構成されたものであることを特徴とする蓋付き容器。
【請求項２】
請求項１において、本体の周壁は、その外周面が上方に向かうに従って先細りする縮径面を構成することを特徴とする蓋付き容器。
【発明の詳細な説明】
【技術分野】
【０００１】
本発明は、外装体で覆われた蓋体を有する蓋付き容器であって、その外装体の分離・回収を目的する技術に関するものである。
【背景技術】
【０００２】
容器に装着される従来の蓋体には、容器の取り出し筒の外側に着脱可能にねじ付けられる本体を有し、この本体を金属製セルで覆ったものがある（例えば、特許文献１参照）。
【先行技術文献】
【特許文献】
【０００３】
【特許文献１】実開平３−２９４５９号公報
【発明の概要】
【発明が解決しようとする課題】
【０００４】
上記蓋体は、本体が樹脂で構成されている一方、外装体が金属で構成されているため、本体と外装体とを分離・回収することが好ましい。
【０００５】
しかしながら、こうした蓋体は、外装体を強固に固定しなければ、取り出し筒からの着脱時に、本体に対して外装体が空転することで蓋体の開閉機能が損なわれることも考慮される。そこで、外装体の空転を防止すべく、当該外装体を本体に対して強固に固定すると、使用後の分離・回収の作業が煩雑になるという問題がある。
【課題を解決するための手段】
【０００６】
本発明は、内容物を取り出すための取り出し筒を有し、外装体を接着固定した蓋体が当該取り出し筒に対して着脱可能に装着される蓋付き容器であって、
当該容器は、取り出し筒の周りに肩部が形成されていると共に、
前記蓋体は、取り出し筒の外周面に着脱可能にねじ付けられる装着部と、当該装着部を取り囲んで、その外周面で外装体を固定保持する周壁と、当該周壁と装着部との間を連結する連結部とを有する本体を備え、
当該本体の周壁は、蓋体を回したときに外装体の空転を防止する平面を有し、
当該本体の連結部には、外装体の天壁に通じる貫通孔が形成され、
当該貫通孔は、蓋体を取り外した容器の肩部に部材を載せ置いたとき、当該部材の上端が貫通して外装体の天壁に接触することで蓋体のねじ付けに合せて外装体を分離させるように構成されたものであることを特徴とするものである。
【０００７】
本発明に係る部材としては、例えば、予め容器と共にセットされた備品や、身近にあるコイン等の真円状の薄板部材が挙げられる。また、本発明に係る、本体の周壁は、その外周面が上方に向かうに従って先細りする縮径面を構成するようにすることができる。
【発明の効果】
【０００８】
本発明によれば、容器から蓋体を外した後、当該蓋体に形成した貫通孔に、予め容器と共にセットされた備品や、身近にあるコイン等の部材を挿入し、再び蓋体をねじ付ければ、当該部材が外装体に対する突っ支い棒のように作用する。
【０００９】
このため、蓋体をねじ付ければ、外装体そのものはその高さを維持したまま、容器に対して本体のみがねじ付けられる。即ち、本発明に従えば、蓋体を締めるだけの簡単な操作で、本体から外装体を分離させることができる。
【００１０】
加えて、本発明に係る、本体において、その周壁の外周面を、上方に向かうに従って先細りする縮径面として構成すれば、外装体が本体に対して空転することなく強固に固定されるが、一度、外装体が本体から高さ方向にずれると、外装体の周壁と蓋本体の周壁とが互いに離間していくことで、本体に対する保持力が徐々に弱まるので、更に容易な分離・回収が可能になる。
【図面の簡単な説明】
【００１１】
【図１】(a),(b)はそれぞれ、本発明の一形態である、蓋付き容器に係る、蓋体の底面図及び、当該蓋付き容器を一部断面で示す側面図である。
【図２】(a),(b)はそれぞれ、同形態に係る、蓋体の平面図及び、当該蓋付き容器を一部断面で示す正面図である。
【図３】同形態にて、蓋体の本体と外装体とを分離させる前の直前状態を一部断面で示す側面図である。
【図４】同形態にて、蓋体の本体と外装体とを分離させた状態を一部断面で示す側面図である。
【発明を実施するための形態】
【００１２】
以下、図面を参照して、本発明である、蓋付き容器を詳細に説明する。
【００１３】
図面にて、１０は、内容物が充填される本体１１と保護カバー１２からなる容器である。本体（以下、「容器本体」）１１は、例えば、内容物の取り出し筒１１ａを有し、その内側に形成した開口部Ａ1（図３参照）を通して充填空間Ｒ1内の内容物を取り出すことができる合成樹脂からなる。
【００１４】
また、容器本体１１は、取り出し筒１１ａの周りに肩部１１ｂが形成されている。肩部１１ｂの外縁からは、側壁１１ｃが筒状に垂下している。側壁１１ｃの外周面には、保護カバー１２の周壁１２ａが固定されている。
【００１５】
保護カバー１２は、装飾が施された合成樹脂からなる。保護カバー１２の周壁１２ａに繋がる底部１２ｂには、開口部１２ｃが形成されている。開口部１２ｃには、容器本体１１の底部１１ｄが貫通し、外界に露出するように構成されている。
【００１６】
２０は、取り出し筒１１ａの外側に装着される本体２１を有し、この本体２１が外装体２２で覆われた蓋体である。蓋体２１は、図１及び図２に示すように、その平面及び底面から見た外観形状が真円の両側を切り欠いた形状をした筒形をしてなる。
【００１７】
このため、外装体２２も、その平面から見た外観形状が真円の両側を切り欠いた形状をした天壁２２ａと、この天壁２２ａの外縁から垂下する周壁２２ｂからなる。従って、外装体２２の周壁（以下、「外装体周壁」）２２ｂは、図１(a)に示すように、その前後がそれぞれ、平面で構成される平面周壁２２ｂ1と、その左右がそれぞれ、湾曲面で構成される湾曲周壁２２ｂ2とからなる扁平な楕円形状をしてなる。
【００１８】
これに対し、本体（以下、「蓋本体」）２１は、取り出し筒１１ａの上側に配置される天壁２１ａを有する。天壁２１ａには、その中心付近に、パッキンＰを脱落不能に保持する筒状部２１ｂが設けられている。筒状部２１ｂは、パッキンＰに設けた筒状部Ｐ1に嵌合することで、パッキンＰの脱落を防止する。また、天壁２１ａとパッキンＰとの間には、ＯリングＯrが収納されている。これにより、パッキンＰは、取り出し筒１１ａにねじ付けたとき、その上端に押圧されることで、開口部Ａ1を強固に密閉する。
【００１９】
また、蓋本体２１は、天壁２１ａの外縁から垂下する装着部２１ｃを有する。装着部２１ｃは、取り出し筒１１ａを取り囲む筒状をなし、取り出し筒１１ａの外周面に着脱可能にねじ付けられる。
【００２０】
加えて、蓋本体２１は、装着部２１ｃを取り囲む周壁（以下、「蓋本体周壁」）２１ｄを有する。蓋本体周壁２１ｄは、その外周面で外装体周壁２２ｂを保持固定する。なお、本形態では、蓋本体周壁２１ｄの下端に、外装体周壁２２ｂを保持するためのフランジ２１ｅが全周に亘って形成されている。
【００２１】
また、蓋本体周壁２１ｄのうち、前後方向側に配置される部位は、図２(b)に示すように、装着部２１ｃと一体に構成され、当該装着部２１ｃを基点に、左右方向に延在する平面周壁２１ｄ1としてなる。平面周壁２１ｄ1は、外装体２２の平面周壁２２ｂ1の内側を、当該平面周壁２２ｂ1に沿って平行に延在する。これに対し、２つの平面周壁２１ｄ1の端部はそれぞれ、外装体２２の湾曲周壁２２ｂ2の内側を当該湾曲周壁２２ｂ2に沿って湾曲した湾曲周壁を介して互いに繋がる。これにより、蓋本体周壁２１ｄは、その上面又は底面から示す外観形状が、図１(a)等に示す外装体２２と同様、２つの平面周壁２１ｄ1と、その左右がそれぞれ、平面で構成される湾曲周壁とからなる扁平な楕円形状をしてなる。
【００２２】
従って、蓋本体２１に対して外装体２２を嵌め合せれば、図２(b)に示すように、外装体２２の平面周壁２２ｂ1が蓋本体２１の平面周壁２１ｄ1の外側に合さることで、外装体２２は、蓋本体２１に対して軸線Ｏ周りに回転することがない。即ち、蓋本体２１と外装体２２は、蓋体２０を取り出し筒１１ａに対して軸線Ｏ周りに時計回り又は反時計回りに回転させても、互いに空転することなく、一体的に回転することができる。
【００２３】
更に、蓋本体周壁２１ｄは、上述のとおり、装着部２１ｃと一体に構成される平面周壁２１ｄ1以外の部位が、図１(b)に示すように、装着部２１ｃから離間することで隙間を形成する。そこで、本形態の蓋本体２１は、例えば、同図に示すように、装着部２１ｃの下端と蓋本体周壁２１ｄの下端との間を連結部２１ｆによって一体に連結している。
【００２４】
連結部２１ｆにはそれぞれ、外装体２２の天壁（以下、「外装体天壁」）２２ａに通じる貫通孔Ａ2が形成されている。貫通孔Ａ2は、図３に示すように、例えば、予め容器１０と共にセットされた備品や身近にあるコイン等に代表される任意の部材Ｍ（二点鎖線）を貫通させる。また、貫通孔Ａ2は、図２に示すように、容器１０の肩部１１ｂと外装体天壁２２ａが軸線Ｏに沿って整列する位置に形成されている。これにより、容器１０から取り外した蓋体２０に部材Ｍを挿入すると、当該部材Ｍの上端ｅ1は、貫通孔Ａ2を貫通し、装着部２１ｃと蓋本体周壁２１ｄとの間に形成された挿入空間Ｒ2を通って外装体天壁２２ａに接触する。
【００２５】
次に、図面を参照して、部材Ｍとしてコインに代表される真円の平板部材を用いることで、蓋本体２１から外装体２２を分離させる方法を説明する。
【００２６】
容器１０から内容物を取り外し終わって廃棄する際、先ず容器１０から蓋体２０を取り外し、貫通孔Ａ2から部材Ｍをその上端ｅ1が外装体天壁２２ａに接触するまで蓋体２０内に挿入する。次いで、この蓋体２０を再び容器１０に戻すと、部材Ｍの下端ｅ2が肩部１１ｂに載せ置かれるため、蓋体２０は、図３に示すように、蓋本体２１の装着部２１ｃが取り出し筒１１ａにねじ付けられるように、容器１０の肩部１１ｂから部材Ｍの高さ（直径寸法）分だけ、高い位置（上側の位置）に配置される。
【００２７】
そこで、外装体２２を把持して蓋体２０を取り出し筒１１ａにねじ付けるべく、軸線Ｏ周りに時計回り又は反時計回りに回転させると、蓋本体２１は、外装体２２の平面周壁２２ｂ1によって、その軸線Ｏ周りでの空転が防止されるため、外装体２２と共に回転する。このため、蓋本体２１自体は、取り出し筒１１ａにねじ付けられることで、容器１０側に進行しようとする。
【００２８】
しかしながら、部材Ｍは、図３に示すように、外装体２２に対する突っ支い棒のように作用する。このため、蓋本体２１と外装体２２との間を接着剤等の手段を用いて固定していても、蓋本体２１の進行により、その接着力以上の力が蓋本体２１と外装体２２との間に発生すると、外装体２２と共に軸線Ｏ周りに回転しつつも、蓋本体２１のみが、その接着力に抗して外装体２２から分離して容器１０側に進行する。
【００２９】
即ち、蓋体２０を容器１０に対してねじ付ければ、図４に示すように、外装体２２そのものは、部材Ｍの高さを維持したまま、容器１０に対して蓋本体２１のみがねじ付けられる。従って、本発明に従えば、蓋体２０をねじ付けるだけの簡単な操作で、同図に示すように、蓋本体２１から外装体２２を分離させることができる。
【００３０】
加えて、本形態では、蓋本体周壁２１ｄの外周面ｆを、図３及び図４に示すように上方に向かうに従って外装体周壁２２ｂ（軸線Ｏに平行な軸線）に対して角度θで先細りする縮径面として構成している。
【００３１】
かかる構成によれば、外装体２２が蓋本体２１に対して空転することなく強固に固定されるが、一度、外装体２２が蓋本体２１から高さ方向にずれると、外装体２２の平面周壁２２ｂ1と蓋本体２１の平面周壁２１ｄ1とが互いに離間していくことで、蓋本体２１に対する保持力が徐々に弱まるので、更に容易な分離・回収が可能になる。
【００３２】
なお、蓋本体周壁２１ｄの外周面ｆは、角度θを一定の角度として、直線的な傾斜としてもよいが、角度θを上側に向かうに従って大きくすることで、曲線的な傾斜とすることもできる。また、本形態に係る、蓋本体周壁２１ｄは、その先端が、例えば、図１(b)又は図２(b)に示すように、外装体天壁２２ａに接触するように構成されているが、蓋本体周壁２１ｄの先端が外装体天壁２２ａに接触しないように構成することも可能である。
【符号の説明】
【００３３】
１０    容器
１１    容器本体（本体）
１２    保護カバー
２０    蓋体
２１    蓋本体（本体）
２１ａ  蓋本体天壁
２１ｂ  筒状部
２１ｃ  装着部
２１ｄ  蓋本体周壁
２１ｄ1 平面周壁
２１ｅ  蓋本体下端フランジ
２１ｆ  連結部
２２    外装体
２２ａ  天壁
２２ｂ  外装体周壁
２２ｂ1 平面周壁
２２ｂ2 湾曲周壁
Ａ1     取り出し筒開口部
Ａ2     貫通孔
ｅ1     部材上端
ｅ2     部材下端
Ｍ      部材
Ｐ      パッキン
Ｏr     Ｏリング
Ｒ1     充填空間
Ｒ2     挿入空間
【図１】
2011025970.tif 000003
【図２】
2011025970.tif 000004
【図３】
2011025970.tif 000005
【図４】
2011025970.tif 000006